(57)【特許請求の範囲】
【請求項１】
粘度５０〜２０００ｃｐｓを有する水性洗剤組成物であって、
（Ａ）式Ｒ1Ｒ2Ｒ3ＮＯ（式中、Ｒ2およびＲ3は、独立してＣ1−Ｃ3アルキル基である）で表される長鎖アミンオキシドの混合物１．５〜１０重量％であって、前記長鎖アミンオキシドの混合物が、
（ｉ）Ｒ1が、Ｃ14アルキル基の第１のアミンオキシド、
（ｉｉ）Ｒ1が、Ｃ12アルキル基、Ｃ16アルキル基およびそれらの混合物からなる群より選ばれるものである第２のアミンオキシド、
を含み、前記第１のアミンオキシドの、Ｒ1がＣ12アルキル基である前記第２のアミンオキシドに対する比率が、０．３〜１０、および前記第１のアミンオキシドの、Ｒ1がＣ16アルキル基である前記第２のアミンオキシドに対する比率が、０．２〜４．５である、
（Ｂ）ジメチルオクチルアミン、オクチルサルフェートおよびそれらの混合物からなる群より選ばれてなる短鎖界面活性剤０．５〜１５重量％、
（Ｃ）残部、水および任意成分、
を含むことを特徴とする、水性洗剤組成物。
【請求項２】
さらに前記短鎖界面活性剤の前記長鎖アミンオキシドの前記混合物に対する比率が３〜０．２５である、請求項１に記載の水性洗剤組成物。
【請求項３】
前記長鎖アミンオキシドの混合物が、Ｒ1Ｒ2Ｒ3ＮＯ（式中、Ｒ2およびＲ3はメチル基である）から選ばれてなる、請求項１または２に記載の水性洗剤組成物。
【請求項４】
前記組成物が、さらに次亜塩素酸アルカリ金属塩を含んでなる、請求項１〜３のいずれか１項に記載の水性洗剤組成物。
【請求項５】
ｐＨが１２．５より大きいものである、請求項４に記載の水性洗剤組成物。
【請求項６】
前記組成物が、さらに長鎖アルキルサルフェートを含んでなる、請求項１〜５のいずれか１項に記載の水性洗剤組成物。
【請求項７】
前記組成物が、さらにＣ12アルキルサルフェートを含んでなる、請求項１〜５のいずれか１項に記載の水性洗剤組成物。
【請求項８】
食器に、純粋または希釈形態の請求項１〜７のいずれか１項に記載の組成物を接触させ、
次いで、前記食器の処置に十分な時間、前記食器を前記組成物に接触させ続け、
次いで、前記食器を水によってすすぎ、前記組成物を除去する、
工程からなることを特徴とする、食器の処理方法。
【請求項９】
請求項１〜８のいずれか１項に記載の組成物の、傾斜した表面の洗浄への使用。
【請求項１０】
請求項１〜８のいずれか１項に記載の組成物の、便器の洗浄への使用。
【発明の詳細な説明】
技術分野
本発明は、家庭への適用に好適な濃密化水性洗剤組成物に関する。特に本発明の組成物は、トイレ洗浄ならびに食器洗浄への適用を含めた、特に前処理組成物としての硬質表面への適用に好適なものに関する。
背景技術
長鎖アミンオキシドと脂肪酸との組み合わせを含む液体洗剤組成物は周知の技術である。
このような組成物は良い洗浄性能を有することが望まれている。しかしながら、長鎖アミンオキシドは最適な洗浄性能を提供するものではないことが判明している。したがって、本発明の第１の目的は、改良された洗浄性を有する長鎖界面活性剤を含む洗浄組成物を提供することである。
この課題に対して、短鎖界面活性剤を配合させることが有益であり、この目的つまり洗浄性能を高めることに合致することが判明している。しかしながら、このような組成物中に短鎖界面活性剤を配合することは、組成物の粘度を低下させる結果となることが観察されている。しかし、これら組成物は高度の粘度を示すべきであり、それによってその組成物が垂直面および水平面に対して傾斜した表面に付着することが必須と考えられる。
したがって、さらに本発明の目的は、長鎖界面活性剤と短鎖界面活性剤とを含む液体組成物であって、粘度を保持したものを提供することである。
この目的に対して、短鎖界面活性剤を添加した場合であっても、特定のアミンオキシドの混合物を用いることによって、より詳細にはＣ14鎖アミンオキシドとＣ12鎖アミンオキシドとのまたはＣ16鎖アミンオキシドまたはそれらの混合物によって、粘度が保持され得ることが判明している。
さらに本発明の有利な点は、追加的な濃密化剤の必要がないことである。追加的に本発明の組成物の有利な点は、望ましい泡特性を有しているので、抑泡剤を必要としないことである。
長鎖アミンオキシドおよび完全飽和脂肪酸を含む濃密化組成物は周知の技術である。
米国特許第４，２８２，１０９号明細書には、次亜塩素酸塩および直鎖および分枝長鎖Ｃ10−Ｃ18アミンオキシドを濃密化剤として含む濃密化漂白剤組成物が開示されている。短鎖Ｃ6−Ｃ8界面活性剤または脂肪酸については述べられていない。
ＥＰ２７４８８５号明細書には、次亜塩素酸アルカリ金属塩および直鎖Ｃ14アミンオキシドと共に分枝および直鎖Ｃ15アミンオキシドの混合物を含む濃密化漂白剤組成物が開示されている。この組成物は追加的濃密化助剤として任意に脂肪酸を含むことができる。
ＥＰ２３３６６６号明細書には、次亜塩素酸塩、次亜塩素酸塩溶解性界面活性剤および脂肪酸のアルカリ金属塩からなる濃密化漂白剤組成物の製法が開示されている。この洗剤活性剤は、アミンオキシド好ましくは、ラウリルジメチルアミンを含有する。短鎖界面活性剤については述べられていない。
ＤＥ２８３７８８０号明細書には次亜塩素酸アルカリ金属塩および粘度を高めるための様々な鎖長（Ｃ5−Ｃ17）の分枝および直鎖アミンオキシドを含む漂白剤組成物が開示されている。この組成物は濃密化のための脂肪酸を必要としない。
ＥＰ３０４０１号明細書には、次亜塩素酸塩ならびにｐＨおよび粘度を含め特有の特定数の生成物を含む濃密化漂白剤組成物が開示されている。Ｃ8−Ｃ18アミンオキシドの混合物、および脂肪酸は濃密化剤として好ましい。短鎖界面活性剤については述べられていない。
発明の開示
本発明の組成物は、粘度が５０〜２０００ｃｐｓであって、式Ｒ1Ｒ2Ｒ3ＮＯ（式中、Ｒ2およびＲ3は独立してＣ1−Ｃ3アルキル基である）で表される長鎖アミンオキシドの混合物および短鎖界面活性剤を含む水性組成物からなる。
前記短鎖界面活性剤は疎水性部分と親水性部分からなり、前記疎水性部分の鎖長はＣ6−Ｃ10である。
前記長鎖アミンオキシドの混合物は、Ｒ1がＣ14アルキル基の第１のアミンオキシド、Ｒ1がＣ12アルキル基もしくはＣ16アルキル基の第２のアミンオキシド、またはそれらの前記アミンオキシドの混合物からなる。
前記第１アミンオキシドの、Ｒ1がＣ12アルキル基である前記第２のアミンオキシドに対する比率は０．３〜１０、および前記第１アミンオキシドの、Ｒ1がＣ16アルキル基である前記第２のアミンオキシドの比率は０．２〜４．５である。
全ての比率、パーセンテージおよび部は、ここでは特に断らない限り、全組成物に対する重量％である。
さらに本発明は、本発明にかかる組成物と接触する食器の処理方法を包含する。
発明を実施するための最良の形態
本発明の液体洗剤組成物は、長鎖アミンオキシド混合物および短鎖界面活性剤を含む。
本発明の組成物の洗浄性能が、短鎖界面活性剤の配合によって向上できることが判明した。
本発明の組成物は、少なくとも１種の短鎖界面活性剤またはその混合物を含む。全ての界面活性剤は、通常疎水性部分および親水性部分からなる。短鎖界面活性剤とは、ここではその疎水性部分としてＣ6−Ｃ10アルキル鎖を含む界面活性剤を意味する。このような界面活性剤はこの分野において通常用いるものであるが、より短いアルキル鎖も含め、どのような種類であることもできる。したがって、本発明において用いる好適な短鎖界面活性剤は、Ｃ6−Ｃ10アルキルサルフェート（Ｃ6−Ｃ10ＳＯ4）、アルキルエーテルサルフェート（Ｃ6−Ｃ10（ＯＣＨ2ＣＨ2）eＳＯ4）、アルキルスルホネート（Ｃ6−Ｃ10ＳＯ3）、アルキルスクシネート（Ｃ6−Ｃ10ＯＯＣＣＨ2ＣＨ2ＣＯＯＺ）、アルキルカルボキシレート（Ｃ6−Ｃ10ＣＯＯＭ）、アルキルエーテルカルボキシレート（Ｃ6−Ｃ10（ＯＣＨ2ＣＨ2）eＣＯＯＭ）、アルキルサルコシネート（Ｃ6−Ｃ10ＣＯＮ（ＣＨ3）Ｒ）、アルキルスルホサクシネート（Ｃ6−Ｃ10ＯＯＣＣＨ（ＳＯ3Ｍ）ＣＨ2ＣＯＯＺ）、アミンオキシド（Ｃ6−Ｃ10ＲＲ’ＮＯ）、グルコースアミド（Ｃ6−Ｃ10ＣＯＮＲ”Ｘ）、アルキルピロリドン（Ｃ6−Ｃ10（Ｃ4Ｈ6ＯＮ）、アルキルポリサッカライド（Ｃ6−Ｃ10ＯＧｇ）、アルキルアルコキシレート（Ｃ6−Ｃ10（ＯＣＨ2ＣＨ2）e（ＯＣＨ2ＣＨ2ＣＨ2）pＯＨ）およびベタイン（Ｃ6−Ｃ10Ｎ+（ＣＨ3）2ＣＯＯ−）を含む。式中の同類部分ｅおよびｐは独立して０〜２０かつｅ＋ｐ＞０であり、ＺはＭまたはＲ、ＭはＨまたはＮａ、Ｋ、Ｌｉ、ＮＨ4、アミンを含め公知のものなど、いかなるカウンターイオンであってよく、Ｘは少なくとも３個のヒドロキシルが直接鎖に結合し、またはそのアルコキシ化された誘導体を有する直鎖ヒドロカルビル鎖を有するポリヒドロキシヒドロカルビルであり、Ｒ、Ｒ’およびＲ”はＣ1−Ｃ5アルキル基、可能ならばヒドロキシル基によって機能化され、ＲおよびＲ’は好ましくはＣ1−Ｃ3最も好ましくはメチルであり、Ｒ”は好ましくは２−ヒドロキシエチルまたは２−ヒドロキシプロピルであり、Ｇはサッカライド、好ましくはグルコース、およびｇは１．５〜８である。これらの全ての界面活性剤は周知のものである。通常のグルコースアミドのより完全な開示は、例えばＷＯ９２−０６１５４号明細書に見いだすことができ、およびより完全な通常のアルキルポリサッカライドの開示は例えば米国特許第４，５３６，３１９号明細書に見いだすことができる。本発明の組成物は、最終用途によって上記のいかなる単独の界面活性剤またはそれらのいかなる組み合わせをも含むことができる。
ここで用いるのに好ましい非イオン短鎖界面活性剤は、式Ｃ6−Ｃ10（ＯＣＨ2ＣＨ2）e（ＯＣＨ2ＣＨ2ＣＨ2）pＯＨ（式中、ｅおよびｐはそれぞれエトキシ化度およびプロポキシ化度を表し、独立して０〜２０であり、ｅ＋ｐ＞０である）によって表されるアルキルアルコキシレートである。ここで用いるのに最も好ましい短鎖非イオン界面活性剤は、ｅ＋ｐが３〜１０、特にｐが０でｅが３〜８であるｅおよびｐを有するものである。さらにここで用いるのに最も好ましい短鎖非イオン界面活性剤は前記短鎖が炭素原子７〜１０個からなる炭化水素鎖であるものである。
ここで用いるのに好ましい前記短鎖非イオン界面活性剤は、対応するアルコールとアルキレンオキシドとの縮合などの当業者に周知な方法によって製造することができるが、このような短鎖界面活性剤は、より好都合には、例えば、シドブレから商品名マージタル（ＭｅｒｇｉｔａｌR）Ｃ４（Ｃ８ＥＯ４）、コルブから商品名インベンチィン（ＩｍｂｅｎｔｉｎR）ＡＧ／８１０／０５０およびＡＧ／８１０／０８０（それぞれ、Ｃ８−１０ＥＯ５およびＣ８−１０ＥＯ８）として市販されている。
ここで用いるのに好ましい短鎖陰イオン界面活性剤は、Ｃ6−Ｃ10アルキルサルフェート（Ｃ6−Ｃ10ＳＯ4）およびアルキルスルホネート（Ｃ6−Ｃ10ＳＯ3）最も好ましくは、Ｃ6−Ｃ8アルキルサルフェートおよびスルホネートである。このような短鎖陰イオン界面活性剤は、周知の硫酸化またはスルホン化およびそれに引き続く中性化によって製造することができるが、前記陰イオン短鎖界面活性剤はより好都合には、例えばローンポーレンから商品名ロウダポン（ＲｈｏｄａｐｏｎR）ＯＬＳまたはウィツコから商品名ウィツコネート（ＷｉｔｃｏｎａｔｅR）として市販されている。
ここで用いるのに好ましい短鎖界面活性剤は、ジメチルオクチルアミンオキシドおよびオクチルサルフェートである。ここで用いるのに好適な短鎖界面活性剤は、好ましくは次亜塩素酸塩相容性である。本発明によれば、組成物は全組成物に対して０．５〜１５重量％、好ましくは０．５〜１０重量％、より好ましくは１〜６重量％、最も好ましくは２〜４重量％の短鎖界面活性剤を含む。
典型的にはアミンオキシドを含んでなる組成物に短鎖界面活性剤を配合すると、前記組成物の粘度を低下させることが従来技術において記載されていることは知られている。特定の長鎖アミンオキシドの混合物の使用によって、その組成物の粘度が阻害されないことが今や判明した。
本発明によれば、ここで用いるのに好適な長鎖アミンオキシドの混合物は、式Ｒ1Ｒ2Ｒ3ＮＯによって表され、第１アミンオキシドではＲ1がＣ14アルキル基であり、第２アミンオキシドではＲ1がＣ12アルキル基またはＣ16アルキル基またはそれらの混合物である。Ｒ2およびＲ3は、共に前記第１および第２アミンオキシド中の、独立したＣ1からＣ3アルキル基である。
前記第１アミンオキシドの第２アミンオキシドに対する比率は、Ｒ1がＣ12アルキル基である場合、０．３〜１０、好ましくは０．５〜５であり、前記第１アミンオキシドの前記第２アミンオキシドに対する比率は、前記第２アミンオキシドのＲ1がＣ16アルキル基の場合、０．２〜４．５、好ましくは０．５〜２である。
ここで用いるのに好ましい長鎖アミンオキシドはゲナミノックス（ＧｅｎａｍｉｎｏｘR）ＬＡ、ゲナミノックス（ＧｅｎａｍｉｎｏｘR）ＭＹ−Ｘ、（ヘキストから入手可能）、Ｃ12−Ｃ14アロモックス（ＡｒｏｍｏｘR）ＤＭＭＣＯ−Ｗ（ＡＫＺＯ）、アロモックス（ＡｒｏｍｏｘR）ＤＭ１４Ｄ−Ｗ（ＡＫＺＯ）、およびアロモックス（ＡｒｏｍｏｘR）ＤＭ１４Ｄ−Ｗ（ＡＫＺＯ）であることができる。ここで用いるのに好適な長鎖界面活性剤は好ましくは次亜塩素酸塩相容性である。本発明によれば、前記組成物は、全組成物に対して１．５〜１０重量％、好ましくは１．５〜７重量％、より好ましくは２〜５重量％、最も好ましくは２．５〜４重量％の前記本発明の長鎖アミンオキシドの混合物を含む。本発明の組成物は前記長鎖アミンオキシドの混合物を含むので、組成物は独立して全組成物に対して０．４〜６重量％、好ましくは０．５〜４重量％の前記第１アミンオキシドと、０．５〜４重量％、好ましくは０．５〜３重量％の前記第２アミンオキシドを含む。
本発明の組成物は、前記長鎖アミンオキシドの混合物と前記短鎖界面活性剤とを０．２５〜３、好ましくは０．５〜２の比率で含む。
本発明の長鎖アミンオキシドは、粘度を、ブッルクフィールド粘度計ＲＶＴによって、温度２５℃で、スピンドル番号２または３または４を用い、５０ｒｐｍまたは１００ｒｐｍにおいて測定し、５０〜２０００ｃｐｓ好ましくは１００〜７００ｃｐｓに回復させる。
本発明の組成物は、さらに、任意成分として他の長鎖界面活性剤を含むことができる。好適な界面活性剤はアルキルサルコシネート、パラフィンスルホネート、アルキルサルフェートおよびアルキルエーテルサルフェートを含む。
好適な任意成分は、Ｃ12アルキルサルフェートであり、短鎖界面活性剤とＣ12アルキルスルホネートの重量比は、１：４から４：１である。
本発明の他の任意成分は、Ｃ8−Ｃ18脂肪酸のアルカリ金属塩である。ここで用いるのに好適な脂肪酸は、いかなるＣ8−Ｃ18脂肪酸であることができるが、好ましくは、完全飽和であり、好ましくはナトリウム、カリウム、リチウム塩であり、より好ましくはナトリウム塩である。好適な脂肪酸はカプリル酸、カプリン酸、ラウリン酸、ミリスチン酸、パルミチン酸、ステアリン酸および脂肪酸の混合物、好適には硬化され、タロー、ココナッツオイル、グランドオイル、ババスオイルなどの天然源から誘導されるものから選ばれることができる。
本発明の組成物は、全組成物に対して０．２〜２重量％、好ましくは０．５〜１重量％の脂肪酸を含む。前記脂肪酸は追加的な濃密化助剤、および抑泡剤として用いることができる。
本発明の他の任意成分は、次亜塩素酸塩漂白剤、好ましくは次亜塩素酸アルカリ金属塩である。次亜塩素酸アルカリ金属塩は好ましいが、次亜塩素酸カルシウム、および次亜塩素酸マグネシウムから選ぶことができる他の次亜塩素酸塩化合物もさらにここで用いることができる。ここで用いるのに好適な次亜塩素酸塩は次亜塩素酸ナトリウムである。本発明の組成物は、前記次亜塩素酸塩漂白剤を、組成物中の活性塩素量を０．４〜４％好ましくは１〜２％含む。本発明によればこの組成物の成分は、この組成物が次亜塩素酸塩相容性であるように選ばれる。
本発明の組成物に任意に求められることは、ｐＨが１２より大きく、好ましくは１２．５より大きく、より好ましくは、１２．８より大きいことである。これは、苛性アルカリを添加することにより達成される。ここで用いる好適な苛性アルカリには、水酸化ナトリウム、および水酸化カリウムが含まれる。
本発明の組成物は、さらにいくつもの追加的な成分、例えば着色剤および香料を含むことができる。加えて、本発明の組成物は、腐食防止剤としてシリケートを含むことができる。
本発明の組成物は、ＧＢ１３２９０８６号明細書に記載の方法などの周知方法によって調製される。本発明の組成物は、全成分を、非金属装置内で室温で混合することによって調製することができる。好ましくは、界面活性剤混合物は第１に長鎖成分に短鎖界面活性剤を加えることによって調製する。香料および次亜塩素酸アルカリ金属塩は、ついで撹拌しながら加える。着色剤は他のすべての成分を混合してから加える。
本発明の組成物は、硬質表面の洗浄など様々な洗浄目的に使用してもよく、そのため前記組成物は濃密化した性質であり、非濃密化組成物よりも長時間表面に付着する。前記組成物は、トイレットボールを含めて慣斜表面の洗浄に対して特に好適である。
本発明の他の態様の組成物においては、この組成物は、手による食器洗浄ならびに自動食器洗浄機による洗浄を含めて食器洗浄への適用に用いられる。本発明者らは、食品しみ／堆積物による食器（特に鍋、ポット、キッチングリル）および／またはいかなる台所用品の汚れであっても、前記組成物が、それらの処理の前処理組成物として用いられた場合に、特に汚れ除去に関して、非常に優れた洗浄性能を与えることを見いだした。
本発明によれば、前記食器に本発明の組成物を希釈または純粋（生の）形態で接触させ、次いで前記食器を処理するのに十分な時間、好ましくは２〜１５分間前記食器を前記組成物に接触させ続け、次いで前記組成物を除去するために前記食器を水によってすすぐ工程からなる食器の処理を包含する。前記工程は、ここでは引き続き、前記食器が本発明の１つまたは他のいかなる通常の食器洗浄製品を含む食器洗浄製品によって洗浄される工程を続けることができる。実際、前記引き続き行う工程は手による食器洗浄操作または自動食器洗浄機によって行われる食器洗浄のどちらであることもできる。
あるいは、ここで述べた前記食器処理方法の前工程として、本発明の組成物による接触の前に前記食器を水に浸すことができる。
「希釈した形態」とは、ここでは本発明の組成物が水によって希釈されることができることを意味する。典型的には希釈量は、水中に本発明の組成物０．５〜３重量％である。前記希釈は、本発明の組成物を前記食器に適用する際または前に行うことができる。
前述の段落に用いたように「処理」との表現は、界面活性剤および漂白剤からなる本発明の組成物と同様、次亜塩素酸塩を含む好適な本発明の組成物による洗浄をも含む。
本発明の組成物は、以下の例によって説明することができる。
0003923074.tif 000002
0003923074.tif 000003
0003923074.tif 000004